(57)【要約】【課題】主に各種電子機器の遠隔操作に用いられるリモコン送信機に関し、簡易な構成で確実な操作が可能なものを提供することを目的とする。【解決手段】操作体１５の取付軸１５Ｂの中間部に、カバー４の開口孔４Ａよりも外方へ突出する複数のアーム部１５Ｃを設けることによって、操作体１５を傾けることで、これをカバー４の開口孔４Ａに挿通させて容易に組立てを行うことができると共に、組立てた後は、このアーム部１５Ｃによって操作体１５の作動軸２からの抜けを防ぐことができるため、簡易な構成で確実な操作が可能なリモコン送信機を得ることができる。【選択図】図１
2007006292.tif 000002
【特許請求の範囲】
【請求項１】
作動軸の操作に応じて電気的接離を行うスイッチと、このスイッチ上方を覆うカバーと、このカバー上面に操作部が突出すると共に、操作部下面に突出しカバーの開口孔を挿通した取付軸が、上記作動軸に装着された操作体と、上記スイッチの電気的接離に応じて、送信手段からリモコン信号を送信する制御手段からなり、上記操作体の取付軸の中間部に、カバーの開口孔よりも外方へ突出する複数のアーム部を設けたリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器の高機能化や多様化が進むなか、これらを遠隔操作するリモコン送信機においても、多様でかつ確実な操作が可能なものが求められている。
【０００３】
このような従来のリモコン送信機について、図４及び図５を用いて説明する。
【０００４】
図４は従来のリモコン送信機の断面図であり、図５は同部分分解斜視図であり、同図において、１は作動軸２が絶縁樹脂製のケース３から上方へ突出したスイッチで、このスイッチ１は、作動軸２を前後左右へ傾倒操作することによって、ケース３内に収納された可動接片（図示せず）が複数の固定接片（図示せず）と接離し、その電気信号が端子部から出力されるように形成されている。
【０００５】
そして、４は絶縁樹脂製のカバー、５は同じく絶縁樹脂製の操作体で、カバー４がスイッチ１上方を覆うと共に、このカバー４上面には操作体５の略円盤状の操作部５Ａが突出し、操作部５Ａ下面に突出形成された略円筒状の取付軸５Ｂが、カバー４の開口孔４Ａを挿通して、スイッチ１の作動軸２外周に装着されている。
【０００６】
また、６は上下面に複数の配線パターン（図示せず）が形成された配線基板で、この配線基板６上面にスイッチ１が実装され、半田付け等によってスイッチ１の端子部が配線パターンに接続されている。
【０００７】
さらに、７はゴム等のシート状の押圧体で、配線基板６上面に載置され、略ドーム状の薄肉部を有する複数のキー７Ａが設けられると共に、このキー７Ａ下面にはカーボン等によって可動接点８が形成されている。
【０００８】
また、配線基板６上面には、これらの可動接点８と所定の間隙を空けて対向する複数の固定接点９が形成されると共に、配線基板６下面には、発光ダイオード等の電子部品によってリモコン信号を送信する送信手段１０や、配線パターンを介してスイッチ１の端子部や固定接点９に接続された、マイコン等の制御手段１１が形成されている。
【０００９】
そして、１２は絶縁樹脂製の筐体で、筐体１２中間部の貫通孔にカバー４が取付けられると共に、筐体１２左方の貫通孔からは押圧体７のキー７Ａが上方へ突出し、この筐体１２がスイッチ１や配線基板６上面を覆って、リモコン送信機が構成されている。
【００１０】
以上の構成において、カバー４上面から突出した操作体５の操作部５Ａを前後左右へ傾倒操作すると、取付軸５Ｂが外周に装着された作動軸２が前後左右へ傾倒され、これによってスイッチ１の電気的接離が行われる。
【００１１】
また、所定のキー７Ａを押圧操作すると、略ドーム状の薄肉部が弾性変形して可動接点８が下方へ移動し、固定接点９と接触して、複数の固定接点９の電気的接離が行われる。
【００１２】
そして、この操作体５の傾倒操作やキー７Ａの押圧操作による、スイッチ１や固定接点９の電気的接離に応じて、制御手段１１が送信手段１０から赤外線のリモコン信号を送信し、例えば、キー７Ａの押圧操作によって、テレビやビデオ、エアコン等の音量や温度の増減、或いは選局の切換え等が、また、操作体５の傾倒操作によって、画面に表示されたメニューの選択等の、様々な遠隔操作が行われる。
【００１３】
なお、このようにカバー４上面に突出した略円盤状の操作部５Ａが、開口孔４Ａよりも大きな径で形成されている場合、操作体５が上方へ引張られた際の作動軸２からの抜けを防止するため、下面に突出した取付軸５Ｂの中間部に、開口孔４Ａよりも大きな径の略円盤状の鍔部を設けると、操作体５をカバー４の開口孔４Ａに挿通させて組立てを行うことが不可能になる。
【００１４】
従って、開口孔４Ａを挿通する小径の取付軸５Ｂを、スイッチ１の作動軸２に圧入気味に装着してはいるが、ある程度の力で上方へ引張ると作動軸２から抜けてしまうため、これを防止するために、接着剤等によって取付軸５Ｂと作動軸２を固着したり、取付軸５Ｂをリング状の止め輪等で作動軸２へ締付けたりして、操作体５が外れないような対策が行われているものであった。
【００１５】
なお、この出願の発明に関連する先行技術文献情報としては、例えば、特許文献１が知られている。
【特許文献１】特開２０００−２１７１７５号公報
【発明の開示】
【発明が解決しようとする課題】
【００１６】
しかしながら、上記従来のリモコン送信機においては、操作体５の作動軸２からの抜けを防ぎ、操作体５の確実な傾倒操作を行うには、接着剤等による固着や止め輪等による締付けを行う必要があるため、製作に手間がかかり、高価なものとなるという課題があった。
【００１７】
本発明は、このような従来の課題を解決するものであり、操作体の抜けを防ぎ、確実な操作が可能なリモコン送信機を提供することを目的とする。
【課題を解決するための手段】
【００１８】
上記目的を達成するために本発明は、操作部下面に突出しカバーの開口孔を挿通する取付軸の中間部に、カバーの開口孔よりも外方へ突出する複数のアーム部を設けてリモコン送信機を構成したものであり、取付軸の中間部に突出しているのが棒状のアーム部であるため、操作体を傾けることによって、これをカバーの開口孔に挿通させて容易に組立てを行うことができると共に、組立てた後は、このアーム部によって操作体の作動軸からの抜けを防ぐことができるため、簡易な構成で確実な操作が可能なリモコン送信機を得ることができるものである。
【発明の効果】
【００１９】
以上のように本発明によれば、簡易な構成で確実な操作が可能なリモコン送信機を実現できるという有利な効果が得られる。
【発明を実施するための最良の形態】
【００２０】
以下、本発明の実施の形態について、図１〜図３を用いて説明する。
【００２１】
なお、背景技術の項で説明した構成と同一構成の部分には同一符号を付して、詳細な説明を簡略化する。
【００２２】
（実施の形態）
図１は本発明の一実施の形態によるリモコン送信機の断面図、図２は同部分分解斜視図であり、同図において、１は作動軸２が絶縁樹脂製のケース３から傾倒可能に上方へ突出したスイッチで、作動軸２を前後左右へ傾倒操作することによって、ケース３内に収納された可動接片（図示せず）が複数の固定接片（図示せず）と接離し、その電気信号が端子部から出力されるように形成されている。
【００２３】
なお、このスイッチ１は、作動軸２を前後左右いずれかへ傾倒操作した後、操作力を除くと、ケース３内に装着されたばね（図示せず）等によって、元の中立位置へ自動復帰する、所謂、中立復帰型のものとなっている。
【００２４】
また、４はポリスチレンやＡＢＳ等の絶縁樹脂製のカバー、１５は同じく絶縁樹脂製の操作体で、カバー４がスイッチ１上方を覆うと共に、このカバー４上面には操作体１５の略円盤状の操作部１５Ａが突出し、操作部１５Ａ下面に突出形成された略円筒状の取付軸１５Ｂが、カバー４の開口孔４Ａを挿通して、スイッチ１の作動軸２外周に装着されている。
【００２５】
さらに、操作体１５の取付軸１５Ｂの中間部には、下方へやや湾曲した棒状で一対のターム部１５Ｃが設けられ、この複数のアーム部１５Ｃがカバー４の開口孔４Ａよりも外方へ突出して、開口孔４Ａ近傍のカバー４下面に当接している。
【００２６】
そして、６は紙フェノールやガラス入りエポキシ等の配線基板で、上下面に銅箔等によって複数の配線パターン（図示せず）が形成されると共に、この配線基板６上面にスイッチ１が実装され、半田付け等によってスイッチ１の端子部が配線パターンに接続されている。
【００２７】
また、７はゴムやエラストマー等のシート状の押圧体で、配線基板６上面に載置され、略ドーム状の薄肉部を有する複数のキー７Ａが設けられると共に、このキー７Ａ下面にはカーボン等によって可動接点８が形成されている。
【００２８】
さらに、配線基板６上面には、これらの可動接点８と所定の間隙を空けて対向する複数の固定接点９が形成されると共に、配線基板６下面には、発光ダイオード等の電子部品によってリモコン信号を送信する送信手段１０や、配線パターンを介してスイッチ１の端子部や固定接点９に接続された、マイコン等の制御手段１１が形成されている。
【００２９】
そして、１２は略箱状でポリスチレンやＡＢＳ等の絶縁樹脂製の筐体で、筐体１２中間部の貫通孔にカバー４が取付けられると共に、筐体１２左方の貫通孔からは押圧体７のキー７Ａが上方へ突出し、この筐体１２がスイッチ１や配線基板６上面を覆って、リモコン送信機が構成されている。
【００３０】
なお、このように構成されたリモコン送信機の、操作体１５のカバー４への組立ては、図３（ａ）の部分断面図に示すように、操作体１５を左方へ傾けた状態で、上方からカバー４の開口孔４Ａ内に挿入し、先ず左側のアーム部１５Ｃを開口孔４Ａに挿通させる。
【００３１】
次に、図３（ｂ）に示すように、操作体１５を時計方向へ回転し左方へ寄せながら、右側のアーム部１５Ｃを開口孔４Ａに挿入し、開口孔４Ａを挿通した後、図３（ｃ）に示すように、操作体１５を右方へ戻して、操作体１５のカバー４への組立てが行われる。
【００３２】
そして、この後、取付軸１５Ｂをスイッチ１の作動軸２に装着すると、操作部１５Ａを上方へ引張っても、開口孔４Ａよりも外方へ突出した左右のアーム部１５Ｃが、開口孔４Ａ近傍のカバー４下面に当接して、操作体１５の作動軸２からの抜けを防止したリモコン送信機が完成する。
【００３３】
以上の構成において、カバー４上面から突出した操作体１５の操作部１５Ａを前後左右へ傾倒操作すると、取付軸１５Ｂが外周に装着された作動軸２が前後左右へ傾倒され、これによってスイッチ１の電気的接離が行われる。
【００３４】
なお、この時、上述したように、操作体１５の取付軸１５Ｂの中間部には、カバー４の開口孔４Ａよりも外方へ突出する複数のアーム部１５Ｃが設けられているため、操作部１５Ａを上方へ引張っても、作動軸２からの抜けがなく、スイッチ１の確実な傾倒操作が行えるように構成されている。
【００３５】
また、所定のキー７Ａを押圧操作すると、略ドーム状の薄肉部が弾性変形して可動接点８が下方へ移動し、固定接点９と接触して、複数の固定接点９の電気的接離が行われる。
【００３６】
そして、この操作体１５の傾倒操作やキー７Ａの押圧操作による、スイッチ１や固定接点９の電気的接離に応じて、制御手段１１が送信手段１０から赤外線のリモコン信号を送信し、例えば、キー７Ａの押圧操作によって、テレビやビデオ、エアコン等の音量や温度の増減、或いは選局の切換え等が、また、操作体１５の傾倒操作によって、画面に表示されたメニューの選択等の、様々な遠隔操作が行われる。
【００３７】
このように本実施の形態によれば、操作体１５の取付軸１５Ｂの中間部に、カバー４の開口孔４Ａよりも外方へ突出する複数のアーム部１５Ｃを設けることによって、操作体１５を傾けることで、これをカバー４の開口孔４Ａに挿通させて容易に組立てを行うことができると共に、組立てた後は、このアーム部１５Ｃによって操作体１５の作動軸２からの抜けを防ぐことができるため、簡易な構成で確実な操作が可能なリモコン送信機を得ることができるものである。
【００３８】
なお、以上の説明では、筐体１２中間部の貫通孔にカバー４を取付け、この別部品のカバー４の開口孔４Ａに、操作体１５を挿通させる構成について説明したが、カバー４を筐体１２と一体に形成し、筐体１２上面から操作体１５の操作部１５Ａを突出させる構成としても、本発明の実施は可能である。
【００３９】
また、スイッチ１を、作動軸２を前後左右いずれかへ傾倒操作する中立復帰型のものとして説明したが、回転操作や押圧操作等、様々な操作形式のスイッチにおいても実施が可能である。
【産業上の利用可能性】
【００４０】
本発明によるリモコン送信機は、簡易な構成で確実な操作が可能なものが得られ、主に各種電子機器の遠隔操作用として有用である。
【図面の簡単な説明】
【００４１】
【図１】本発明の一実施の形態によるリモコン送信機の断面図
【図２】同部分分解斜視図
【図３】同部分断面図
【図４】従来のリモコン送信機の断面図
【図５】同部分分解斜視図
【符号の説明】
【００４２】
１  スイッチ
２  作動軸
３  ケース
４  カバー
４Ａ  開口孔
６  配線基板
７  押圧体
７Ａ  キー
８  可動接点
９  固定接点
１０  送信手段
１１  制御手段
１２  筐体
１５  操作体
１５Ａ  操作部
１５Ｂ  取付軸
１５Ｃ  アーム部
【図１】
2007006292.tif 000003
【図２】
2007006292.tif 000004
【図３】
2007006292.tif 000005
【図４】
2007006292.tif 000006
【図５】
2007006292.tif 000007